(57)【要約】【課題】太陽電池ストリングにおける異常検出の検出精度を向上できる異常検出システムを提供する。【解決手段】太陽電池モジュールと太陽電池モジュールに接続される電力線とを含むストリングにおける異常を検出する異常検出システムであって、ストリングの少なくとも一部を介して伝送された信号の信号レベルを、ストリングの複数の位置で検出可能な信号レベル検出部と、検出された信号レベルに基づいて、ストリングにおける異常を検出する異常検出部と、を備える。【選択図】図３
2015135601.tif 000002
【特許請求の範囲】
【請求項１】
太陽電池モジュールと前記太陽電池モジュールに接続される電力線とを含むストリングにおける異常を検出する異常検出システムであって、
前記ストリングの少なくとも一部を介して伝送された信号の信号レベルを、前記ストリングの複数の位置で検出可能な信号レベル検出部と、
前記信号レベル検出部により検出された信号レベルに基づいて、前記ストリングにおける異常を検出する異常検出部と、
を備える異常検出システム。
【請求項２】
請求項１に記載の異常検出システムであって、
前記信号レベル検出部は、前記ストリングに対して非接触の状態で前記信号レベルを検出する異常検出システム。
【請求項３】
請求項１又は２に記載の異常検出システムであって、
前記信号レベルは、電圧レベル及び電流レベルを含み、
前記異常検出部は、前記電圧レベルと前記電流レベルと所定の閾値とに基づいて、異常の要因を検出する異常検出システム。
【請求項４】
請求項３に記載の異常検出システムであって、
前記異常検出部は、前記電圧レベルが前記閾値より大きく、かつ、前記電流レベルが前記閾値よりも大きい場合、前記ストリングが正常状態であると検出する異常検出システム。
【請求項５】
請求項３に記載の異常検出システムであって、
前記異常検出部は、前記電圧レベルが前記閾値より大きく、かつ、前記電流レベルが前記閾値以下である場合、前記太陽電池モジュールにおける異常を検出する異常検出システム。
【請求項６】
請求項３に記載の異常検出システムであって、
前記異常検出部は、前記電圧レベルが前記閾値以下であり、かつ、前記電流レベルが前記閾値以下である場合、前記電力線における異常を検出する異常検出システム。
【請求項７】
請求項３ないし６のいずれか１項に記載の異常検出システムであって、
前記閾値は、前記電圧レベルと比較される電圧閾値と、前記電流レベルと比較される電流閾値と、を含む異常検出システム。
【請求項８】
請求項３ないし７のいずれか１項に記載の異常検出システムであって、更に、
前記ストリングにおいて、前記信号レベル検出部が前記信号レベルを検出する対象に応じて前記閾値を設定する閾値設定部を備える異常検出システム。
【請求項９】
請求項８に記載の異常検出システムであって、更に、
前記対象を少なくとも前記太陽電池モジュール及び前記電力線から選択可能な入力部を備える異常検出システム。
【請求項１０】
請求項９に記載の異常検出システムであって、
前記閾値設定部は、前記入力部によって選択された前記対象の種別に応じて、前記閾値を設定する異常検出システム。
【請求項１１】
請求項３ないし７のいずれか１項に記載の異常検出システムであって、更に、
前記信号が前記ストリングを伝送された距離に応じて、前記閾値を設定する閾値設定部を備える異常検出システム。
【請求項１２】
請求項３ないし７のいずれか１項に記載の異常検出システムであって、更に、
閾値の校正指示を検出する校正指示検出部と、
前記閾値を設定する閾値設定部と、
を備え、
前記信号レベル検出部は、前記校正指示に応じて、前記信号の信号レベルを検出し、
前記閾値設定部は、前記信号レベル検出部により検出された信号レベルに応じて、前記閾値を設定する異常検出システム。
【請求項１３】
請求項１ないし１２のいずれか１項に記載の異常検出システムであって、更に、
前記異常検出部による検出結果を報知する報知部を備える異常検出システム。
【請求項１４】
請求項１ないし１３のいずれか１項に記載の異常検出システムであって、更に、
前記ストリングにおける状態を検出する携帯型検出器を備え、
前記携帯型検出器は、前記信号レベル検出部と、前記異常検出部と、を備える異常検出システム。
【請求項１５】
請求項１ないし１３のいずれか１項に記載の異常検出システムであって、更に、
少なくとも前記信号レベル検出部と、前記信号レベルの情報を送信する第１の通信部と、を有する携帯型検出器と、
少なくとも前記異常検出部と、前記携帯型検出器から前記信号レベルの情報を受信する第２の通信部と、を有する通信装置と、を備える異常検出システム。
【請求項１６】
請求項１ないし１５のいずれか１項に記載の異常検出システムであって、更に、
前記ストリングに固定された状態で取り付けられ、前記信号を送信する信号送信部を備える異常検出システム。
【請求項１７】
請求項１４ないし１６のいずれか１項に記載の異常検出システムであって、
前記携帯型検出器は、前記ストリングに対して電気的に独立して構成される異常検出システム。
【請求項１８】
請求項１ないし１７のいずれか１項に記載の異常検出システムであって、
前記異常検出部は、静電誘導又は電磁誘導を利用して前記信号レベルを検出する異常検出システム。
【請求項１９】
太陽電池モジュールと前記太陽電池モジュールに接続される電力線とを含むストリングにおける異常を検出する携帯型検出器であって、
前記ストリングの少なくとも一部を介して伝送された信号の信号レベルを、前記ストリングの任意の位置で検出可能な信号検出部と、
前記信号の信号レベルに基づいて、前記ストリングにおける異常を検出する異常検出部と、
前記異常検出部の検出結果を表示する表示部と、
を備える携帯型検出器。
【請求項２０】
太陽電池モジュールと前記太陽電池モジュールに接続される電力線とを含むストリングにおける異常を検出する異常検出方法であって、
前記ストリングの少なくとも一部を介して伝送された信号の信号レベルを、前記ストリングにおいて複数の位置でそれぞれ検出するステップと、
前記信号の信号レベルに基づいて、前記ストリングにおける異常を検出するステップと、
を有する異常検出方法。
【発明の詳細な説明】
【技術分野】
【０００１】
本発明は、異常検出システム、携帯型検出器、及び異常検出方法に関する。
【背景技術】
【０００２】
従来、太陽光パネル（ＰＶ（Ｐｈｏｔｏ  Ｖｏｌｔａｉｃ）パネル）を利用し、太陽光のエネルギーを電気エネルギーに変換する太陽光発電が普及している。太陽光発電では、発電時に廃棄物、排水、騒音、振動などが発生せず、非常用電源としても活用が期待されることから、近年特に注目されている。
【０００３】
ＰＶパネルは、発電量を大きくするために、屋上などの屋外に設置されることが多い。そのため、自然現象（例えば、風、雨、雪）の影響、その他の影響を直接的に受けやすい。自然現象の影響やその他の要因が長年蓄積することで、太陽光パネルを含む太陽光発電システムが故障することがある。
【０００４】
太陽光発電システム（光起電力システム）の故障（棄損事象）を診断する装置として、光起電力システムの棄損事象を検出するための監視装置が知られている（例えば、特許文献１参照）。この監視装置は、光起電力発電機と、第１の結合素子対と、第２の結合素子対と、を備える。
【０００５】
光起電力発電機は、光起電力モジュールの第１のグループ及び第２のグループを有する。第１の結合素子対及び第２の結合素子対は、テスト信号を光起電力発電機へ入力するための信号入力素子と、応答信号を出力するための信号出力素子と、を有する。第１の結合素子対は、光起電力モジュールの第１のグループにおける棄損事象の発生を選択的に検出する。第２の結合素子対は、光起電力モジュールの第２のグループにおける棄損事象の発生を選択的に検出する。
【先行技術文献】
【特許文献】
【０００６】
【特許文献１】特表２０１３−５３２３８８号公報
【発明の概要】
【発明が解決しようとする課題】
【０００７】
特許文献１に記載された監視装置では、太陽電池ストリングにおける故障を含む異常検出の検出精度が不十分であった。
【０００８】
本発明は、上記事情に鑑みてなされたものであり、太陽電池ストリングにおける異常検出の検出精度を向上できる異常検出システム、携帯型検出器、及び異常検出方法を提供する。
【課題を解決するための手段】
【０００９】
本発明の異常検出システムは、太陽電池モジュールと前記太陽電池モジュールに接続される電力線とを含むストリングにおける異常を検出する異常検出システムであって、前記ストリングの少なくとも一部を介して伝送された信号の信号レベルを、前記ストリングの複数の位置で検出可能な信号レベル検出部と、前記信号レベル検出部により検出された信号レベルに基づいて、前記ストリングにおける異常を検出する異常検出部と、を備える。
【００１０】
本発明の携帯型検出器は、太陽電池モジュールと前記太陽電池モジュールに接続される電力線とを含むストリングにおける異常を検出する携帯型検出器であって、前記ストリングの少なくとも一部を介して伝送された信号の信号レベルを、前記ストリングの任意の位置で検出可能な信号検出部と、前記信号の信号レベルに基づいて、前記ストリングにおける異常を検出する異常検出部と、前記異常検出部の検出結果を表示する表示部と、を備える。
【００１１】
本発明の異常検出方法は、太陽電池モジュールと前記太陽電池モジュールに接続される電力線とを含むストリングにおける異常を検出する異常検出方法であって、前記ストリングの少なくとも一部を介して伝送された信号の信号レベルを、前記ストリングにおいて複数の位置でそれぞれ検出するステップと、前記信号の信号レベルに基づいて、前記ストリングにおける異常を検出するステップと、を有する。
【発明の効果】
【００１２】
本発明によれば、太陽電池ストリングにおける異常検出の検出精度を向上できる。
【図面の簡単な説明】
【００１３】
【図１】第１の実施形態におけるＰＶシステムの構成例を示す模式図
【図２】第１の実施形態におけるＰＶパネルの構成例を示す模式図
【図３】第１の実施形態における子機の第１構成例を示すブロック図
【図４】第１の実施形態における子機の第２構成例を示すブロック図
【図５】第１の実施形態における子機の有線通信部の構成例を示すブロック図
【図６】第１の実施形態における検出器の構成例を示すブロック図
【図７】（Ａ）第１の実施形態における検出器における電圧検出部及び電流検出部の第１構成例を示す模式図、（Ｂ）第１の実施形態における検出器における電圧検出部及び電流検出部の第２構成例を示す模式図
【図８】（Ａ）第１の実施形態における検出器のインタフェースの一例を示す模式図、（Ｂ）第１の実施形態における正常時の検出信号レベルと、異常時の検出信号レベルと、設定される閾値と、の関係の一例を示す模式図、（Ｃ）第１の実施形態における測定対象物と子機との距離と、検出信号レベル及び閾値との関係の一例を示す模式図
【図９】第１の実施形態における第２の異常診断処理の処理結果の一例を示す模式図
【図１０】第１の実施形態における検出器による異常判定動作時の第１動作例を示すフローチャート
【図１１】第１の実施形態における検出器による異常判定動作時の第１動作例を示すフローチャート
【図１２】第１の実施形態における検出器による異常判定動作時の第２動作例を示すフローチャート
【図１３】第１の実施形態における信号電圧レベル、信号電流レベル、第２の異常診断処理の判定結果、及び異常の要因の一例を示す模式図
【図１４】（Ａ）第２の実施形態における子機の第１構成例を示すブロック図、（Ｂ）第２の実施形態における子機の第２構成例を示すブロック図
【発明を実施するための形態】
【００１４】
以下、本発明の実施形態について、図面を用いて説明する。
【００１５】
（本発明の一形態を得るに至った経緯）
特許文献１に記載された監視装置は、テスト信号を用いて棄損事象を検出していた。この監視装置は、太陽電池ストリングに入力されたテスト信号を検出する電圧計及び電流計を備える。この電圧計及び電流計は、各太陽電池ストリングに対して１つずつ、所定の位置に設置されていた。そのため、太陽電池ストリングにおいてテスト信号を検出する位置が固定され、様々な位置においてテスト信号を検出して異常判定することが困難であった。従って、太陽電池ストリングにおける異常発生位置の特定が困難であり、太陽電池ストリングにおける異常検出の検出精度が不十分であった。
【００１６】
以下、太陽電池ストリングにおける異常検出の検出精度を向上できる異常検出システム、携帯型検出器、及び異常検出方法について説明する。
【００１７】
（第１の実施形態）
図１は第１の実施形態における太陽光発電システム（ＰＶシステム）１０００の構成例を示す模式図である。ＰＶシステム１０００は、太陽光発電パネル（ＰＶパネル）１０、子機２０、検出器３０、親機４０、接続箱５０、パワーコンディショナ６０、及び分電盤７０を有する。
【００１８】
ＰＶパネル１０は、光電効果により、光エネルギーを電力に変換する太陽電池を含むパネルである。ＰＶパネル１０は、複数の太陽電池セル（ＰＶセル）を含む太陽電池モジュール（ＰＶモジュール）である。また、ＰＶパネル１０が電力線ＰＬを介して直列に接続されて太陽電池ストリング（ＰＶストリング）１０ＳＴが形成され、ＰＶストリングが電力線ＰＬを介して並列に接続されて太陽電池アレイ（ＰＶアレイ）１０ＡＲが形成される。
【００１９】
図１では、ＰＶストリング１０ＳＴにおいてＰＶパネル１０が６枚直列に接続されているが、この枚数に限られない。また、ＰＶアレイ１０ＡＲでは、ＰＶストリング１０ＳＴが２組並列に接続されているが、この数に限られない。
【００２０】
ＰＶシステム１０００は、モニタリング動作と、異常診断動作と、の２つの動作を行う。モニタリング動作は、例えば親機４０及び子機２０間において実施され、ＰＶストリング１０ＳＴにおいて異常が発生していないかを定期的に監視する動作である。異常診断動作は、例えばモニタリング動作においてＰＶストリング１０ＳＴにおいて異常検出された場合に、具体的な異常の要因を特定する動作である。異常診断は、故障診断、その他の異常に関する診断を含む。なお、モニタリング動作の結果と関係なく、異常診断動作が単独で行われてもよい。
【００２１】
子機２０は、モニタリング動作において、電力線ＰＬの電圧及び電流を検出（測定）する。検出される電流値は、ＰＶストリング１０ＳＴを流れる電流に相当する。子機２０は、モニタリング動作において、ＰＶストリング１０ＳＴにおける異常の有無を判定する異常診断処理を実行してもよい。
【００２２】
子機２０が配置される位置は、図１の位置に限られない。子機２０は、ＰＶストリング１０ＳＴ毎に複数設置されてもよい。子機２０は、ＰＶパネル１０に接続されず、ＰＶストリング１０ＳＴ内の任意の位置に設置され、ＰＶストリング１０ＳＴ全体の電圧又は電流を検出してもよい。子機２０は、第１の通信装置の一例である。
【００２３】
検出器３０は、例えば、異常診断作業を担当する作業員により携帯される。異常診断作業により、ＰＶシステム１０００において異常診断動作が実行される。検出器３０は、子機２０から送信された測定信号を受信した測定対象物において、所定の情報（例えば、電圧、電流の信号レベル）を検出（測定）する。すなわち、検出器３０は、ＰＶストリング１０ＳＴの任意の位置で所定の情報を検出可能である。換言すると、検出器３０は、ＰＶストリング１０ＳＴの複数の位置で所定の情報を検出可能である。測定対象物は、ＰＶストリング１０ＳＴに含まれる異常診断処理の対象となる装置であり、例えば、ＰＶパネル１０、複数のＰＶパネル１０間を接続する電力線ＰＬを含む。
【００２４】
検出器３０は、例えば、携帯型の専用端末でもよいし、スマートフォンに検出器３０の有する機能が組み込まれてもよい。検出器３０の機能は、例えば異常診断動作を行うための機能を含む。この場合、検出器３０には、異常診断動作を行うアプリケーションが組み込まれてもよい。検出器３０は、携帯型検出器の一例である。
【００２５】
検出器３０は、異常診断動作において、ＰＶストリング１０ＳＴにおける特定箇所の異常の有無を判定する異常診断処理を実行してもよい。
【００２６】
親機４０は、例えば、モニタリング動作又は異常診断動作を、子機２０又は検出器３０と協調して実施する。親機４０は、例えば、モニタリング動作又は異常診断動作の結果を収集する。親機４０は、第２の通信装置の一例である。親機４０は、複数設けられてもよい。親機４０は、モニタリング動作又は異常診断動作において、異常診断処理を実行してもよい。
【００２７】
接続箱５０は、ＰＶストリング１０ＳＴ単位で配線としての電力線ＰＬをまとめて、パワーコンディショナ６０に接続する。接続箱５０には、例えば、電力線ＰＬを接続するための端子、点検や保守の際に使用されるスイッチ、避雷素子、電気の逆流を防止するための逆流防止ダイオード（図示せず）、が含まれる。
【００２８】
パワーコンディショナ６０は、複数のＰＶパネル１０（例えばＰＶアレイ１０ＡＲ）による発電電力に相当する直流電力を交流電力に変換する。パワーコンディショナ６０は、例えば、所定のスイッチング周波数によりスイッチングして、電力線ＰＬを通じて伝送される電力を制御する。
【００２９】
分電盤７０は、パワーコンディショナ６０からの電力を各電気負荷（図示せず）に分配する。
【００３０】
データロガー８０は、例えば、ＰＣ（Ｐｅｒｓｏｎａｌ  Ｃｏｍｐｕｔｅｒ）、サーバであり、親機４０により集約した所定の情報を所定のメモリに保持する。データロガー８０は、モニタリング動作又は異常診断動作において、異常診断処理を実行してもよい。なお、例えば、親機４０又はネットワーク上の所定のサーバ（例えば遠隔地のサーバ）が、データロガーの機能を有し、所定の情報を保持してもよい。
【００３１】
図２はＰＶパネル１０周辺の構成例を示す図である。ここでは、ＰＶパネル１０に子機２０が接続されているが、図１に示したように、子機２０が接続されないＰＶパネル１０も存在する。
【００３２】
ＰＶパネル１０は、複数の太陽電池クラスタ（ＰＶクラスタ）１０Ｇを含む。各ＰＶクラスタ１０Ｇは、複数のＰＶセル１０Ｃを含む。ＰＶクラスタ１０Ｇに含まれる複数のＰＶセル１０Ｃは、直列に接続される。ＰＶセル１０Ｃは、太陽光による光エネルギーを電力に変換する発電素子である。また、ＰＶクラスタ１０Ｇ（１０Ｇ１〜１０Ｇ３）の各々に、バイパスダイオードＢＤ（ＢＤ１〜ＢＤ３）が並列に接続される。
【００３３】
図２では、ＰＶクラスタ１０Ｇ及びバイパスダイオードＢＤが３個設けられているが、数はこれに限られない。また、ＰＶクラスタ１０Ｇでは、１２個のＰＶセル１０Ｃが直列に接続されているが、数はこれに限られない。一般的に、ＰＶパネル１０は複数のＰＶクラスタ１０Ｇ及び複数のＰＶセル１０Ｃを含むが、少なくとも１つのＰＶセル１０Ｃを含んでいればよい。
【００３４】
ＰＶセル１０Ｃ又はセル間の接続線に不具合（異常）が発生していない場合、各ＰＶクラスタ１０Ｇは発電するため電圧が生じる。これにより、バイパスダイオードＢＤには逆電圧が印加されるので、バイパスダイオードＢＤは電流を通過させない。
【００３５】
一方、ＰＶクラスタ１０Ｇ１において不具合（例えばＰＶセル１０Ｃの故障、セル間の断線、図２の矢印ｅ参照）が発生したとする。この場合、不具合のあるＰＶセル１０Ｃ又はセル間の接続線は、発電せずに単なる抵抗体となるため、他のＰＶクラスタ１０Ｇ２，１０Ｇ３が発生したエネルギーを消費し、ＰＶパネル１０の発電電力を低下させる。また、不具合のあるＰＶセル１０Ｃ又はセル間の接続線に電流の供給が継続されると、このＰＶセル１０Ｃ又はセル間の接続線が例えば熱破損することがある。ＰＶクラスタ１０Ｇ１に並列に接続されたバイパスダイオードＢＤ１により、不具合が発生した箇所を含むＰＶクラスタ１０Ｇに流れる電流を、バイパスして通過させる。
【００３６】
バイパスダイオードＢＤ又はＰＶクラスタ１０Ｇから出力される電流は、子機２０に入力されてもよい。
【００３７】
図３は子機２０の第１構成例を示すブロック図である。
子機２０は、電源部２２、電圧検出部２３、電流検出部２４、制御部２６、信号送信部２５、無線通信部２７、入力端子２８、及び出力端子２９を備える。
【００３８】
電源部２２は、例えばＰＶパネル１０からの電力供給を受け、子機２０内の各部に電力を供給する。電圧検出部２３は、子機２０に接続されたＰＶパネル１０の出力電圧を検出する。電流検出部２４は、子機２０に接続されたＰＶパネル１０の出力電流、つまりＰＶストリングＳＴのストリング電流を検出する。
【００３９】
信号送信部２５は、異常診断動作において、測定信号を送信する。測定信号は、子機２０が配置されたＰＶストリング１０ＳＴにおいて、例えばＰＶパネル１０及び電力線ＰＬを介して伝送される。測定信号は、既知パターンの信号であり、例えばパルス信号、正弦波信号、などを含む。
【００４０】
制御部２６は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）を有する。ＲＯＭに格納されたプログラムをＣＰＵが実行することで、制御部２６の各種処理を行う。制御部２６は、例えば、モニタリング動作において、異常診断処理を実行してもよい。
【００４１】
無線通信部２７は、例えば、他の子機２０、検出器３０、親機４０、又はデータロガー８０との間において、無線回線を介して、各種データ、各種情報、各種信号を通信する。無線通信部２７による通信方式は、例えば、ＱＲコード（登録商標）を介した通信、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）、Ｗｉｆｉ、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）、赤外線、Ｚｉｇｂｅｅ（登録商標）、無線ＬＡＮ（Ｌｏｃａｌ  Ａｒｅａ  Ｎｅｔｗｏｒｋ）、を含む。
【００４２】
無線通信部２７は、例えば、電流検出部２４及び電圧検出部２３によりそれぞれ検出された電流値及び電圧値を含む検出情報、ＰＶストリング１０ＳＴにおけるモニタリング動作における異常検出処理の処理結果の情報を、親機４０に送信する。
【００４３】
カプラ部２１は、入力端子２８からの直流電圧に、信号送信部２５からの信号（測定信号）を重畳する。
【００４４】
重畳された測定信号は、入力端子２８及び出力端子２９からＰＶパネル１０及び電力線ＰＬへ出力される。
【００４５】
図４は、子機２０の第２構成例を示すブロック図である。
【００４６】
図４の第２構成例と図３の第１構成例との相違点は、子機２０が、無線通信部２７の
代わりに有線通信部２７Ａを備える点である。図４において、有線通信部２７Ａ以外の構成部については、図３に示した第１構成例と同様であるので、同様の符号を付し、説明を省略する。
【００４７】
有線通信部２７Ａは、例えば、他の子機２０、検出器３０、親機４０、又はデータロガー８０との間において、無線回線を介して通信する。有線通信部２７Ａによる通信方式は、例えば、ＰＬＣ（Ｐｏｗｅｒ  Ｌｉｎｅ  Ｃｏｍｍｕｎｉｃａｔｉｏｎ）通信を含む。有線通信部２７Ａが通信する情報は、無線通信部２７が通信する情報と同様である。
【００４８】
図５は有線通信部２７Ａの構成例を示すブロック図である。
【００４９】
有線通信部２７Ａは、メインＩＣ２２１、メモリ２２８、ローパスフィルタ（ＬＰＦ）２２９、バンドパスフィルタ（ＢＰＦ）２３０、およびドライバＩＣ２３１を備える。
【００５０】
メインＩＣ２２１は、ＣＰＵ２２２、ＰＬＣ・ＭＡＣ（Ｍｅｄｉａ  Ａｃｃｅｓｓ  Ｃｏｎｔｒｏｌ  ｌａｙｅｒ）部２２３、及びＰＬＣ・ＰＨＹ（Ｐｏｗｅｒ  Ｌｉｎｅ  Ｃｏｍｍｕｎｉｃａｔｉｏｎ・Ｐｈｙｓｉｃａｌ  Ｌａｙｅｒ）部２２４を備える。また、メインＩＣ２２１は、ＤＡ変換器（ＤＡＣ）２２５、ＡＤ変換器（ＡＤＣ）２２６、及び可変増幅器（ＶＧＡ：Ｖａｒｉａｂｌｅ  Ｇａｉｎ  Ａｍｐｌｉｆｉｅｒ）２２７を備える。メインＩＣ２２１は、電力線通信を行う制御回路として機能する集積回路である。
【００５１】
ＣＰＵ２２２は、例えば８ビットのＲＩＳＣ（Ｒｅｄｕｃｅｄ  Ｉｎｓｔｒｕｃｔｉｏｎ  Ｓｅｔ  Ｃｏｍｐｕｔｅｒ）プロセッサを実装している。ＰＬＣ・ＭＡＣブロック２２３は、送受信信号のＭＡＣ層を管理する。ＰＬＣ・ＰＨＹブロック２２４は、送受信信号のＰＨＹ層を管理する。また、ＰＬＣ・ＰＨＹブロック２２４は、電力線ＰＬ（伝送路の一例）の周波数特性を記憶する。
【００５２】
ＤＡ変換器２２５は、デジタル信号をアナログ信号に変換する。ＡＤ変換器２２６は、アナログ信号をデジタル信号に変換する。可変増幅器２２７は、ＢＰＦ２３０から入力される信号を増幅する。
【００５３】
メモリ２２８は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体記憶装置である。ＬＰＦ２２９は、ＤＡ変換器２２５から入力される信号のうち低周波成分を通過させ、それ以外の成分を遮断する。ＢＰＦ２３０は、入力信号のうち所定周波数帯成分を通過させ、それ以外の成分を遮断する。ドライバＩＣ２３１は、所定機器を動作させるためのＩＣである。
【００５４】
ＣＰＵ２２２は、有線通信部２７Ａの全体を制御する。また、ＣＰＵ２２２は、メモリ２２８に記憶されたデータを利用して、ＰＬＣ・ＭＡＣブロック２２３、及びＰＬＣ・ＰＨＹブロック２２４の動作を制御する。
【００５５】
有線通信部２７Ａでは、例えばメモリ２２８に記憶された送信すべきデータは、メインＩＣ２２１に送られる。メインＩＣ２２１は、データに対してデジタル信号処理を施すことによってデジタル送信信号を生成する。生成されたデジタル送信信号は、ＤＡ変換器２２５によってアナログ信号に変換され、ローパスフィルタ２２９、ドライバＩＣ２３１、及びカプラ２５０を介して電力線ＰＬに出力される。なお、ここでは、カプラ２５０が図４に示したカプラ部２１とは別体に構成されることを例示したが、カプラ２５０とカプラ部２１とは共通の１つのカプラとして構成されてもよい。
【００５６】
電力線ＰＬから受信された信号は、カプラ２５０を経由してＢＰＦ２３０に送られ、可変増幅器２２７によりゲイン調整された後、ＡＤ変換器２２６によりデジタル信号に変換される。このデジタル信号は、デジタル信号処理を施すことによって、デジタルデータに変換される。変換されたデジタルデータは、例えばメモリ２２８に記憶される。
【００５７】
また、メインＩＣ２２１によって実現されるデジタル信号処理の一例について説明する。有線通信部２７Ａは、マルチキャリア信号を伝送用の信号として使用する。有線通信部２７Ａは、送信対象のデータをマルチキャリア送信信号に変換して出力し、マルチキャリア受信信号を処理して受信データに変換する。これらの変換のためのデジタル信号処理は、主としてＰＬＣ・ＰＨＹブロック２２４により行われる。
【００５８】
以下では、子機２０が無線通信部２７を含む第１構成例である場合について例示するが、子機２０が有線通信部２７Ａを含む第２構成例である場合にも同様である。
【００５９】
図６は、検出器３０の構成例を示すブロック図である。検出器３０は、電圧検出部３０１、電流検出部３０２、フィルタ部３０３，３０４、制御部３０５、電源部３０６、無線通信部３０７、音声出力部３０８、表示部３０９、及び入力操作部３１０を備える。
【００６０】
電圧検出部３０１は、例えば、測定対象物に対して空間的に非接触で電気的に接続され、測定対象物における電圧を検出する。電流検出部３０２は、例えば、測定対象物に対して空間的に非接触で電気的に接続され、測定対象物を流れる電流を検出する。
【００６１】
フィルタ部３０３は、例えば、図示しないメモリに保持された測定信号の情報（既知のパターンの情報）を参照し、電圧検出部３０１により検出された電圧検出信号に対して、フィルタリングする。この場合、フィルタ部３０３は、電圧検出信号から、所定の周波数範囲の範囲外における信号成分を遮断し、上記周波数範囲の範囲内における信号成分を通過させる。
【００６２】
フィルタ部３０４は、例えば、図示しないメモリに保持された測定信号の情報（既知のパターンの情報）を参照し、電流検出部３０２により検出された電流検出信号に対して、フィルタリングする。この場合、フィルタ部３０４は、電流検出信号から、所定の周波数範囲の範囲外における信号成分を遮断し、上記周波数範囲の範囲内における信号成分を通過させる。
【００６３】
フィルタ部３０３、３０４により、測定対象物において検出されるノイズの影響を除外し、子機２０からの測定信号に起因する電流、電圧の情報を取得できる。
【００６４】
制御部３０５は、例えば、ＣＰＵ、ＲＯＭを有する。例えば、ＲＯＭに格納されたプログラムをＣＰＵが実行することで、制御部３０５の各種処理（例えば、各種制御、各種判定）を行う。
【００６５】
制御部３０５は、例えば、フィルタ部３０３からの電圧検出信号により示される電圧値の情報、フィルタ部３０４からの電流検出信号により示される電流値の情報、を得る。この電圧値、電流値は、測定対象物が測定信号により受けた電圧、電流の値である。
【００６６】
なお、フィルタ部３０３からの電圧値は、信号電圧レベルの一例であり、フィルタ部３０４からの電流値は、信号電流レベルの一例である。信号電圧レベル及び信号電流レベルは、検出器３０により検出される測定信号の信号レベル（検出信号レベル）の１つである。
【００６７】
制御部３０５は、異常診断動作において、異常診断処理を実行してもよい。異常診断処理では、制御部３０５は、例えば、測定対象物における測定信号の信号レベルと閾値とを比較し、信号レベルが閾値未満である場合、異常状態と判定する。
【００６８】
電源部３０６は、例えば、二次電池（不図示）から電力供給を受け、検出器３０内の各部に電力を供給する。
【００６９】
無線通信部３０７は、例えば、子機２０、親機４０、又はデータロガー８０との間において、無線回線を介して、各種データ、各種情報、各種信号を通信する。無線通信部２７による通信方式は、例えば、ＱＲコード（登録商標）を介した通信、ＤＥＣＴ、Ｗｉｆｉ、Ｂｌｕｅｔｏｏｔｈ（登録商標）、ＮＦＣ、赤外線、Ｚｉｇｂｅｅ（登録商標）、無線ＬＡＮ、を含む。
【００７０】
無線通信部３０７は、例えば、フィルタ部３０３，３０４からの電流値及び電圧値を含む検出情報、異常診断動作における異常検出処理の処理結果の情報を、親機４０に送信する。無線通信部３０７は、例えば、異常診断動作における子機２０への測定信号の送信指示を、ＱＲコード（登録商標）を用いて、又は赤外線を用いて、子機２０へ送信してもよい。
【００７１】
無線通信部３０７は、例えば、異常診断動作において、子機２０に対して、ＰＶストリング１０ＳＴにおいて異常診断するための測定信号の送信又は送信の停止を指示してもよい。
【００７２】
音声出力部３０８は、例えば音声信号を出力するスピーカである。この音声信号は、音声だけでなく、音楽、周囲環境により発生される音響、その他の音に関する信号を広く含む。音声出力部３０８は、例えば、入力操作部３１０による操作を補助する情報（音声ガイドの情報）、異常診断処理の処理結果を示す情報、を音声出力してもよい。音声出力部３０８は、報知部の一例である。
【００７３】
音声出力部３０８により、例えば、検出器３０を把持して作業する作業員が表示部３０９を確認することが困難である場合でも、異常診断を容易に実施できる。
【００７４】
表示部３０９は、例えば、ＬＣＤ（Ｌｉｑｕｉｄ  Ｃｒｙｓｔａｌ  Ｄｉｓｐｌａｙ），ＬＥＤ（Ｌｉｇｈｔ  Ｅｍｉｔｔｉｎｇ  Ｄｉｏｄｅ）を含み、各種表示情報（
例えば、文字情報、画像情報）を表示する。表示部３０９は、例えば、入力操作部３１０による操作を補助する情報、異常診断処理の処理結果を示す情報、を表示する。
【００７５】
入力操作部３１０は、例えば、各種ボタン、キーを含み、作業員による入力操作を受け付ける。入力操作部３１０は、表示部３０９に重ねられたタッチパネルでもよい。入力操作部３１０は、例えば、パネルボタン３１１、ケーブルボタン３１２、及び校正ボタン３１３を含む。
【００７６】
入力操作部３１０、表示部３０９を含む検出器３０のインタフェースは、後述する図８（Ａ）に例示される。検出器３０は、不図示であるが、振動部を備え、振動部を介して各種報知を実施してもよい。
【００７７】
以上より、検出部３０は、ＰＶパネル１０によって発電された電力が伝送されるＰＶストリング１０ＳＴに対して電気的に独立して構成されると共に、ＰＶストリング１０ＳＴに近接させることで測定信号の信号レベルを検出可能である。よって、検出部３０は、測定信号の検出位置は限定されず、ＰＶストリング１０ＳＴに対して任意の位置で測定信号の信号レベルを検出することができる。従って、検出器３０は、ＰＶストリング１０ＳＴにおける複数の位置で測定信号を検出できる。その結果、作業員は、異常を検出する位置と、異常を検出しない位置と、をそれぞれ把握することができる。これにより、ＰＶストリング１０ＳＴにおける異常箇所の特定を容易に行うことができ、異常検知の精度を向上させることができる。
【００７８】
なお、検出部３０がＰＶストリング１０ＳＴに対して独立した電気回路を構成するために、検出部３０はＰＶストリング１０ＳＴから独立した電源（例えば、二次電池）を有する方が好ましい。これにより、検出部３０は、単独で動作可能となり、ＰＶストリング１０ＳＴに近接させない通常時においても、表示部３０９及び入力操作部３１０などの操作が可能となる。
【００７９】
図７（Ａ）は、電圧検出部３０１及び電流検出部３０２の第１構成例を示す模式図である。図７（Ｂ）は、電圧検出部３０１及び電流検出部３０２の第２構成例を示す模式図である。
【００８０】
図７（Ａ），（Ｂ）に示すように、電圧検出部３０１は、例えば、線状アンテナである。電圧検出部３０１は、測定対象物（例えば、ＰＶパネル１０、電力線ＰＬ）の電圧測定時、測定対象物に近接配置され、例えば、静電誘導を用いて測定対象物の電圧を測定する。
【００８１】
図７（Ａ）に示すように、電流検出部３０２は、クランプ型の電流センサでもよい。この電流検出部３０２は、測定対象物（例えば電力線ＰＬ）の電流測定時、例えば、クランプ型の電流センサの先端部を測定対象物の端子に非接触で係合させ、電磁誘導を用いて測定対象物の電流を測定してもよい。測定対象物が電力線ＰＬの場合には、電力線ＰＬが例えばゴムにより被膜されているので、電力線ＰＬと電流センサとは空間的には接触しない。クランプ型の電流センサを用いることで、より高精度に電流を検出できる。
【００８２】
図７（Ｂ）に示すように、電流検出部３０２は、ループコイルを含んで形成されるループアンテナでもよい。この電流検出部３０２は、測定対象物（例えば、ＰＶパネル１０、電力線ＰＬ）の電流検出時、測定対象物が有するループアンテナに近接配置され、例えば、電磁誘導を用いて測定対象物の電流を測定してもよい。
【００８３】
電圧検出部３０１及び電流検出部３０２は、第１構成例及び第２構成例のいずれにおいても、測定対象物と空間的に非接触の状態で、電圧又は電流を検出するので、異常診断を行う作業員の作業を簡易化できる。
【００８４】
次に、親機４０及びデータロガー８０の構成例について説明する。
【００８５】
親機４０は、特に図示していないが、例えば、通信部、制御部、及び記憶部を備える。親機４０の通信部は、有線回線又は無線回線を介して、子機２０、検出器３０、又はデータロガー８０との間において通信する。親機４０の制御部は、例えば、ＣＰＵ、ＲＯＭを有する。ＲＯＭに格納されたプログラムをＣＰＵが実行することで、親機４０の制御部の各種処理を行う。親機４０の記憶部は、各種データ、各種情報を保持する。
【００８６】
親機４０の通信部は、例えば、子機２０又は検出器３０から所定の情報を受信する。この所定の情報は、例えば、子機２０又は検出器３０による検出情報（例えば、電圧、電流の情報）、異常診断処理の処理結果の情報、を含んでもよい。親機４０の通信部は、例えば、異常診断動作において、子機２０に対して、ＰＶストリング１０ＳＴにおいて異常診断するための測定信号の送信又は送信の停止を指示してもよい。
【００８７】
データロガー８０は、特に図示していないが、例えば、通信部、制御部、及び記憶部を備える。データロガー８０の通信部は、有線回線又は無線回線を介して、子機２０、検出器３０、又は親機４０との間において、各種データ、各種情報、各種信号を通信する。データロガー８０の制御部は、例えば、ＣＰＵ、ＲＯＭを有する。ＲＯＭに格納されたプログラムをＣＰＵが実行することで、データロガー８０の制御部の各種処理を行う。データロガー８０の制御部は、例えば、モニタリング動作又は異常診断動作において、異常診断処理してもよい。データロガーの記憶部は、通信部により受信された各種データ、各種情報を保持する。
【００８８】
例えば、データロガー８０の通信部は、有線回線又は無線回線を介して、１台以上の親機４０との間において通信する。データロガー８０の記憶部は、親機４０から取得した所定の情報を保持する。所定の情報は、例えば、子機２０又は検出器３０による検出情報（例えば、電圧、電流の情報）、異常診断処理の結果の情報、を含む。
【００８９】
次に、ＰＶシステム１０００のモニタリング動作の一例の概要について説明する。
【００９０】
モニタリング動作では、子機２０がＰＶストリング１０ＳＴの状態を定期的にモニタリングしている。モニタリング動作では、例えば、ＰＶパネル１０又はＰＶストリング１０ＳＴの電流、電圧の検出を行う。モニタリング動作では、子機２０は、例えば不図示の検出部を用いて、温度、日射量を検出してもよい。
【００９１】
子機２０の無線通信部２７は、モニタリング動作における検出情報を親機４０へ送信する。親機４０は、子機２０からの検出情報を受信し、受信した検出情報をデータロガー８０に送信する。データロガー８０は、親機４０からの検出情報を受信し、記憶部に保持する。データロガー８０は、検出情報に基づいて、モニタリング動作における異常診断処理（第１の異常診断処理）を実行する。
【００９２】
第１の異常診断処理では、データロガー８０は、例えば、第１のＰＶストリング１０ＳＴに設置された子機２０からの検出情報を取得しなかった場合、第１のＰＶストリング１０ＳＴにおいて異常が発生していると診断してもよい。また、データロガー８０は、例えば、第１のＰＶストリング１０ＳＴに設置された子機２０からの検出情報に含まれる測定データが、他のＰＶストリング１０ＳＴに設置された子機２０からの検出情報に含まれる測定データよりも所定基準以上小さい場合、第１のＰＶストリング１０ＳＴにおいて異常が発生していると診断してもよい。データロガー８０は、第１の異常診断処理の結果を、メモリに保持する。
【００９３】
なお、ここでは、第１の異常診断処理をデータロガー８０が実行することを例示したが、子機２０、親機４０、又はデータロガー８０とは異なる他のサーバが、第１の異常診断処理を実行してもよい。子機２０が第１の異常診断処理を行う場合、検出情報を送信する代わりに、又は検出情報とともに、第１の異常診断処理の処理結果を親機４０へ送信してもよい。
【００９４】
また、ここでは、データロガー８０が子機２０により検出された検出情報を保持することを例示したが、親機４０が親機４０の記憶部に保持してもよいし、データロガー８０とは異なる他のサーバが検出情報を保持してもよい。
【００９５】
次に、ＰＶシステム１０００の異常診断動作の一例の概要について説明する。
【００９６】
異常診断動作は、例えば、定期的に実施されてもよいし、第１の異常診断処理において１つ以上のＰＶストリング１０ＳＴにおいて異常があると診断された場合に実施されてもよい。
【００９７】
異常診断動作では、データロガー８０の通信部は、例えば、親機４０に対して、第１の異常診断処理の結果を送信する。この異常診断処理の結果は、異常があると判定されたＰＶストリング１０ＳＴの識別情報（例えば、ストリングＩＤ、ＰＶストリング１０ＳＴに含まれる子機２０のＩＰアドレス又はＭＡＣアドレス）を含む。
【００９８】
親機４０の通信部は、所定の子機２０に対して、測定信号の送信を指示する。この所定の子機２０は、異常診断処理対象のＰＶストリング１０ＳＴに設置された子機２０である。異常診断処理対象のＰＶストリング１０ＳＴは、第１の異常診断処理において異常があると判定されたＰＶストリング１０ＳＴである。
【００９９】
子機２０の無線通信部２７は、親機４０からの測定信号の送信指示を受信し、信号送信部２５は、測定信号を含む信号を電力線ＰＬへ出力する。これにより、異常があると判定されたＰＶストリング１０ＳＴにおいて、各電力線ＰＬ及び各ＰＶパネル１０を介して測定信号が伝送される。
【０１００】
作業員は、検出器３０を持って、例えば異常診断処理対象のＰＶストリング１０ＳＴが設置された場所へ移動する。作業員は、異常診断処理対象のＰＶストリング１０ＳＴに含まれる測定対象物と、検出器３０の検出部とを、空間的には非接触の状態で、電気的に接続する。検出器３０の検出部は、例えば、電圧検出部３０１、電流検出部３０２を含む。
【０１０１】
検出器３０の検出部は、子機２０からの測定信号の信号レベル（例えば、信号電圧レベル、信号電流レベルの少なくとも一方）を検出する。検出器３０の制御部３０５は、検出部による検出結果に応じて、異常診断動作における異常診断処理（第２の異常診断処理）を実行する。第２の異常診断処理では、例えば、制御部３０５は、検出信号レベルと所定の閾値とを比較し、比較結果に応じて、正常状態か異常状態かを判定する。正常状態では、測定対象物と子機２０との間（測定対象物を含む）に異常を含まない。異常状態では、測定対象物と子機２０との間（測定対象物を含む）に異常を含む。
【０１０２】
検出器３０の無線通信部３０７は、第２の異常診断処理の結果を、親機４０へ送信する。この場合、検出器３０の無線通信部３０７は、親機４０へ直接送信してもよいし、子機２０を介して、親機４０へ送信してもよい。親機４０の通信部は、検出器３０からの第２の異常診断処理の処理結果の情報を受信し、この情報をデータロガー８０に送信する。
【０１０３】
データロガー８０に第１の異常診断処理又は第２の異常診断処理の処理結果を集約することで、ＰＶストリング１０ＳＴの異常発生履歴を一元管理できる。
【０１０４】
なお、検出器３０の検出部による検出結果、第２の異常診断処理の処理結果のうちの少なくとも一部の情報は、データロガー８０ではなく、例えば、検出器３０、子機２０、又は親機４０により保持されてもよい。
【０１０５】
なお、データロガー８０から親機４０への第１の異常診断処理の結果通知は、モニタリング動作において行われてもよい。
【０１０６】
なお、第２の異常診断処理は、検出器３０ではなく、例えば、親機４０、子機２０、データロガー８０、又はネットワーク上の所定のサーバにより実行されてもよい。この場合、検出器３０の無線通信部３０７は、異常診断処理を行う装置に対して、検出部による検出結果を送信する。
【０１０７】
なお、モニタリング動作又は異常診断動作において、親機４０が子機２０からのデータを受信しなかった場合、検出器３０へその旨を通知してもよい。この場合、例えば、検出器３０の音声出力部３０８又は表示部３０９を介して、子機２０からのデータを未受信である旨を認識した作業員が、検出器３０を持って子機２０付近まで移動する。作業員は、例えば入力操作部３１０を介して親機４０へ所定信号の送信を指示する。
【０１０８】
親機４０の通信部は、検出器３０からの所定信号の送信を指示する信号を受信すると、この送信指示に応じて、所定信号を送信する。検出器３０の無線通信部３０７は、親機４０からの所定信号を受信し、制御部３０５が、例えば、検出部による検出結果を基に受信感度を検出（測定）する。
【０１０９】
受信感度は、例えば、無線通信の場合にはＲＳＳＩ（Ｒｅｃｅｉｖｅｄ  Ｓｉｇｎａｌ  Ｓｔｒｅｎｇｔｈ  Ｉｎｄｉｃａｔｏｒ）、有線通信の場合にはＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、を含む。
【０１１０】
なお、親機４０が測定信号の送信を指示することを例示したが、親機４０の代わりに、例えば、検出器３０又はデータロガー８０が測定信号の送信を指示してもよい。
【０１１１】
検出器３０が測定信号の送信を指示する場合、例えば、検出器３０と異常診断処理対象のＰＶストリング１０ＳＴに設置された子機２０（指示対象の子機２０）とをペアリングしてもよい。このペアリングでは、指示対象の子機２０と検出器３０とを親子登録し、例えば、指示対象の子機２０を親機として登録し、検出器３０を子機として登録する。そして、検出器３０の無線通信部３０７が、例えば、指示対象の子機２０へ測定信号の送信開始を指示し、又は測定信号の送信停止を指示する。
【０１１２】
また、検出器３０が指示対象の子機２０に対して測定信号の送信を指示する場合、例えば、ＱＲコード（登録商標）を用いてもよい。この場合、指示対象の子機２０に付されたＱＲコード（登録商標）を、検出器３０のＱＲコード（登録商標）読取部（不図示）がスキャンする。指示対象の子機２０は、検出器３０の制御部３０５は、ＱＲコード（登録商標）読取部からスキャン結果を受け取り、指示対象の子機２０に対して測定信号の送信を指示する。
【０１１３】
ＱＲコード（登録商標）を用いて検出器３０と子機２０とが通信することで、異常診断作業を行う作業員の作業を容易化できる。
【０１１４】
次に、第２の異常診断処理において用いられる閾値について説明する。
【０１１５】
第２の異常診断処理では、検出器３０の制御部３０５は、例えば、検出信号レベルが所定の閾値未満である場合、異常状態と判定する。ここでは、異常状態と判定することは、異常診断処理対象のＰＶストリング１０ＳＴにおいて、測定対象物と子機２０との間に異常を含むと判定することを指す。一方、検出信号レベルが所定の閾値以上である場合、検出器３０の制御部３０５は、正常状態と判定する。ここでは、正常状態と判定することは、異常診断処理対象のＰＶストリング１０ＳＴにおいて、測定対象物と子機２０との間に異常を含まない（正常）と判定することを指す。
【０１１６】
また、検出器３０の制御部３０５は、複数の検出信号レベル（例えば信号電圧レベル、信号電流レベル）と所定の閾値とを比較してもよい。この場合、制御部３０５は、各検出信号レベルと各閾値との大小関係に応じて、異常の種別を判定してもよい。各検出信号レベルと比較される各閾値は、全て同値でもよいし、少なくとも１つが異なる値でもよい。
【０１１７】
検出信号レベルは、例えば図８（Ａ）に示すように、表示部３０９のＬＥＤにより視覚的に表示される。例えば、検出信号レベルが所定の閾値を大きく上回った場合、信号レベル「３」となる。例えば、検出信号レベルが所定の閾値を多少上回った場合、信号レベル「２」となる。例えば、検出信号レベルが所定の閾値を多少下回った場合、信号レベル「１」となる。例えば、検出信号レベルが所定の閾値を大きく下回った場合、信号レベル「０」となる。図８（Ａ）では、検出信号レベルが点灯されるＬＥＤの数により示されており、信号レベル「２」であることを例示している。
【０１１８】
異常の種別（要因）は、例えば、パネル異常、ケーブル異常を含む。パネル異常は、例えば、ＰＶパネル１０内のバイパスダイオードＢＤの故障、ＰＶクラスタ１０Ｇ間を接続するクラスタ配線の断線（図２の矢印ｅ参照）、を含む。ケーブル異常は、例えば、ＰＶパネル１０間を接続する電力線ＰＬの断線、電力線ＰＬの地絡、を含む。
【０１１９】
検出信号レベルと比較される少なくとも１つの閾値は、予め定められてもよいし、検出器３０の制御部３０５により適宜変更されてもよい。
【０１２０】
制御部３０５は、閾値を変更する場合、閾値の初期化処理を実施する。閾値の変更は、閾値の初期設定を含む。閾値の初期化処理では、検出器３０の検出部が、第２の異常診断処理が実施される前に、子機２０近傍の測定対象物において測定信号を検出する。初期化処理において用いる測定信号は、例えば、異常診断処理において用いる測定信号と同じである。
【０１２１】
制御部３０５は、例えば、入力操作部３１０を介して、作業員により校正ボタン３１３が押下されたことを検出すると、閾値の初期化処理を実行する。校正ボタン３１３の押下は、校正指示の一例である。
【０１２２】
制御部３０５は、子機２０近傍における測定信号の測定結果に応じて、閾値を変更する。図８（Ｂ）に示すように、制御部３０５は、例えば、検出信号レベル（正常値の信号レベル）に対する所定の割合を、閾値として設定してもよい。この所定の割合は、例えば、検出信号レベルの例えば２０％〜３０％である。図８（Ｂ）は、正常時における検出信号レベルと、異常時における検出信号レベルと、設定される閾値と、の関係の一例を示す模式図である。
【０１２３】
閾値の初期化処理により、例えば日射量が変化する場合でも、所望のタイミングにおいて基準となる信号レベルを校正（キャリブレーション）できる。従って、異常診断処理の処理精度を向上できる。
【０１２４】
子機２０近傍における測定対象物の第２の異常診断処理に用いられる閾値が決定されると、制御部３０５は、この閾値に応じて、ＰＶストリング１０ＳＴにおける他の位置の測定対象物が用いる閾値を設定する。この場合、制御部３０５は、例えば、子機２０と測定対象物との距離に応じて、閾値を設定してもよい。
【０１２５】
制御部３０５は、第２の異常診断処理を開始する前に、各測定対象物が用いる閾値を予め設定し、図示しない検出器３０の記憶部に保持してもよい。制御部３０５は、各測定対象物に対する第２の異常診断処理において、各測定対象物が用いる閾値を動的に設定してもよい。
【０１２６】
図８（Ｃ）は、測定対象物が配置された位置の子機２０からの距離と、検出信号レベル及び閾値との関係の一例を示す模式図である。図８（Ｃ）では、閾値が子機２０からの距離に応じて段階的に設定されることを例示しているが、図８（Ｃ）とは異なり、閾値が子機２０からの距離に応じて直線的に設定されてもよい。
【０１２７】
制御部３０５は、子機２０と測定対象物との距離を、子機２０と測定対象物との間に存在するＰＶパネル１０の枚数に応じて、推定してもよい。ＰＶパネル１０の枚数は、例えば、入力操作部３１０を介して作業員により入力されてもよい。
【０１２８】
制御部３０５は、子機２０と測定対象物との距離を、ＧＰＳ（Ｇｌｏｂａｌ  Ｐｏｓｉｔｉｏｎｉｎｇ  Ｓｙｓｔｅｍ）の情報に応じて、推定してもよい。この場合、制御部３０５は、例えば、ＧＰＳから取得された子機２０の位置情報と測定対象物の位置情報との差分に応じて、子機２０と測定対象物との距離を推定してもよい。
【０１２９】
異常診断処理対象のＰＶストリング１０ＳＴにおいて、子機２０からの距離が長くなる程、電力線ＰＬ又はＰＶパネル１０を伝送される測定信号の信号レベルが減衰する。子機２０と測定対象物との距離を考慮することで、この減衰を考慮した閾値を設定できる。
【０１３０】
また、閾値の変更では、測定対象物の種別が考慮されてもよい。例えば、制御部３０５は、測定対象物の種別に応じて、つまり測定対象物がＰＶパネル１０であるか電力線ＰＬであるかに応じて、閾値を変更してもよい。この場合、制御部３０５は、測定対象物がＰＶパネル１０である場合のパネル用閾値が、測定対象物が電力線ＰＬである場合のケーブル用閾値よりも、大きくなるように設定する。
【０１３１】
電力線ＰＬは、例えばゴムにより被膜されているので、検出部により電流、電圧、又は電力の値が測定された場合、各値がＰＶパネル１０の場合よりも小さくなる。パネル閾値がケーブル用閾値よりも大きく設定されることで、例えば、測定対象物の検出特性を考慮した閾値を設定及び異常診断を実施できる。
【０１３２】
制御部３０５は、例えば、入力操作部３１０を介して、作業員によりパネルボタン３１１が押下されたことを検出すると、パネル用閾値を変更する。制御部３０５は、例えば、入力操作部３１０を介して、作業員によりケーブルボタン３１２が押下されたことを検出すると、ケーブル用閾値を変更する。
【０１３３】
パネル用閾値の変更では、検出器３０の検出部は、例えば、子機２０近傍のＰＶパネル１０において測定信号を検出し、検出信号レベルに応じて、パネル用閾値を変更する。ケーブル用閾値の変更では、検出器３０の検出部は、例えば、子機２０近傍の電力線ＰＬにおいて測定信号を検出し、検出信号レベルに応じて、ケーブル用閾値を変更する。
【０１３４】
上記のように、制御部３０５は、子機２０と測定対象物との距離に応じて閾値を設定してもよいし、測定対象物の種別に応じて閾値を設定してもよいし、また、これらの閾値の設定方法は、組み合わされてもよい。
【０１３５】
次に、第２の異常診断処理における測定対象物の遷移例について説明する。
【０１３６】
第２の異常診断処理では、例えば、子機２０に最も近い測定対象物から順に、子機２０から遠い測定対象物に向かって、測定対象物を遷移させる。この場合、現在の測定対象物に対して正常状態と判定された場合、現在の測定対象物と子機２０とが電気的に接続されているので、現在の測定対象物に至るまでに第２の異常診断処理がされた測定対象物に異常がない状態と推定できる。
【０１３７】
一方、現在の測定対象物に対して異常状態と判定された場合、現在の測定対象物と子機２０との間において、異常がある測定対象物が存在すると推定できる。更に、現在の直前の測定対象物に正常状態と判定された場合、現在の測定対象物と直前の測定対象物との間に異常が含まれると推定できる。
【０１３８】
図９は、第２の異常診断処理の処理結果の一例を示す模式図である。図９では、測定対象物３１〜測定対象物３３に対する第２の異常診断処理において、正常状態と判定されたことを示す（図９の○印参照）。一方、測定対象物３４に対する第２の異常診断処理において、異常状態と判定されたことを示す（図９の×印参照）。異常状態である場合、測定対象物３３と測定対象物３４との間（測定対象物３４自体を含む）に、異常の発生源３５を含むと推定できる。
【０１３９】
図９では、測定対象物３１〜測定対象物３４が電力線ＰＬであることを例示している。図９では、異常の発生源と推定される位置は、例えば、測定対象物３４である電力線ＰＬ、又は測定対象物３３，３４の間に位置するＰＶパネル１０である。なお、図９では、電力線ＰＬを測定対象物とし、ＰＶパネル１０を測定対象物としないことが例示されている。
【０１４０】
従って、各測定対象物に対する第２の異常診断処理において、最初に異常状態と判定された測定対象物を基に、異常診断処理対象のＰＶストリング１０ＳＴにおける異常の発生源を推定できる。
【０１４１】
なお、現在の測定対象物に対して異常状態と判定された場合、現在の測定対象物と子機２０とが電気的に接続されず、そのために以降の測定対象物と子機２０とも電気的に接続されてないので、以降の測定対象物においても異常状態と判定される。従って、子機２０から近い順に第２の異常診断処理を行うことで、処理効率を向上でき、第２の異常診断処理に要する時間を短縮できる。
【０１４２】
なお、上記の測定対象物の遷移順序は一例であり、他の遷移順序でもよい。
【０１４３】
次に、ＰＶシステム１０００による異常診断動作時の動作例について説明する。
【０１４４】
図１０，図１１は、検出器３０による異常診断動作の第１例を示すフローチャートである。
【０１４５】
まず、検出器３０の制御部３０５は、閾値変更指令があるか否かを判定する（Ｓ１０１）。制御部３０５は、例えば、入力操作部３１０を介して、作業員によりパネルボタン３１１、ケーブルボタン３１２、又は校正ボタン３１３を押下されたことを検出すると、閾値変更指令が発生したと判定する。制御部３０５は、例えば、検出器３０の内部タイマ（図示せず）により、前回の閾値変更時から所定期間経過したと判定した場合に、閾値変更指令が発生したと判定してもよい。制御部３０５は、例えば、閾値が未設定の状態である場合、閾値変更指令が発生したと判定してもよい。
【０１４６】
閾値変更指令がないと判定された場合、Ｓ１０２に進み、Ｓ１０１の時点で設定されている所定の閾値が用いられる。閾値変更指令がないと判定された場合、図１１のＳ１１１に進む。
【０１４７】
閾値変更指令がないと判定された場合、制御部３０５は、電圧検出部３０１又は電流検出部３０２により、所定レベル以上の信号レベルとして電圧又は電流が検出されたか否かを判定する（Ｓ１０２）。
【０１４８】
所定レベル以上の信号レベルが検出された場合、制御部３０５は、検出信号レベルが閾値以下であるか否かを判定する（Ｓ１０３）。検出信号レベルが閾値より大きい場合、制御部３０５は、測定対象物に対して正常状態と判定する（Ｓ１０４）。検出信号レベルが閾値以下である場合、制御部３０５は、測定対象物に対して異常状態と判定する（Ｓ１０５）。Ｓ１０３〜Ｓ１０５の処理は、第２の異常診断処理に含まれる。
【０１４９】
検出器３０の音声出力部３０８、表示部３０９又はその他の報知部（不図示）は、第２の異常診断処理の処理結果を作業員へ報知する（Ｓ１０６）。例えば、光、音、振動、により、正常であると判定された旨の報知、又は異常を含むと判定された旨の報知が行われる。例えば、表示部３０９は、正常と判定された場合にはＬＥＤを点灯させ、異常を含むと判定された場合にはＬＥＤを点滅させる。
【０１５０】
Ｓ１０６の処理後、Ｓ１０１に進む。
【０１５１】
図１０の処理によれば、異常診断対象のＰＶストリング１０ＳＴにおいて、各測定対象物に対して個別に第２の異常診断処理でき、特定の箇所に異常が含まれるか否かを診断できる。また、検出器３０を携帯可能であるので、作業員は簡単に異常診断作業を実施できる。また、モニタリング動作と異常診断動作とを合わせて、効率よく異常診断を実施できる。
【０１５２】
なお、図１０の処理は、１回の実行に限らず、例えば、測定信号を受信する度に実施されてもよい。この場合、異常診断処理の処理結果が前回と異なる場合、通知の内容も変更される。従って、複数回の異常診断処理により、異常診断処理の処理精度を向上できる。
【０１５３】
図１１では、制御部３０５は、測定対象物の変更指示があったか否かを判定する（Ｓ１１１）。測定対象物の変更指示は、例えば、測定対象物をＰＶパネル１０とするか、電力線ＰＬとするか（ケーブルモードとするか）、の指示を含む。つまり、検出器３０の検出モードをパネルモードとするか、ケーブルモードとするかの指示を含む。例えば、制御部３０５は、パネルボタン３１１及びケーブルボタン３１２の押下を監視し、測定対象物の変更指示の有無を判定する。
【０１５４】
測定対象物の変更指示がある場合、制御部３０５は、閾値を変更する（Ｓ１１２）。この場合、測定対象物がＰＶパネル１０であるか電力線ＰＬであるかに応じて、閾値を変更する。なお、閾値は、検知対象物毎に検出器３０内のメモリに保持されてもよい。つまり、パネル用閾値とケーブル用閾値とが別個に保持されてもよい。
【０１５５】
Ｓ１１１において測定対象物の変更指示がない場合、又は、Ｓ１１２において閾値が変更された場合、制御部３０５は、校正指示があるか否かを判定する（Ｓ１１３）。例えば、制御部３０５は、校正ボタン３１３の押下を監視し、校正指示の有無を判定する。
【０１５６】
校正指示がある場合、電圧検出部３０１又は電流検出部３０２は、信号レベルとして、電圧又は電流を検出する（Ｓ１１４）。
【０１５７】
制御部３０５は、Ｓ１１４における検出信号レベルに応じて、閾値を変更する（Ｓ１１５）。この場合、制御部３０５は、例えば、閾値＝検出信号レベル×０．３として、閾値を変更してもよい。
【０１５８】
Ｓ１１３において校正指示がない場合、又は、Ｓ１１５において閾値が変更された場合、制御部３０５は、信号源としての子機２０と測定対象物との距離の情報が更新されたか否かを判定する（Ｓ１１６）。
【０１５９】
子機２０と測定対象物との距離の情報が更新された場合、制御部３０５は、この距離の情報に応じて、閾値を変更する（Ｓ１１７）。この場合、制御部３０５は、例えば、設定中の閾値から、検出信号レベル×距離（ｋｍ）／３に相当する値を減じることにより、閾値を変更する。
【０１６０】
Ｓ１１６において距離の情報が更新されていない場合、又はＳ１１７において閾値が変更された場合、図１０のＳ１０１に進む。
【０１６１】
図１１の処理によれば、測定対象物としてのＰＶパネル１０と電力線ＰＬとの材質、構造の違いを考慮して、閾値を変更できる。従って、第２の異常診断処理の処理精度を向上できる。また、正常時の検出信号レベルにばらつきが発生する環境であっても、閾値変更時点の測定対象物の状態（例えば信号レベル）に応じて、閾値を変更でき、第２の異常診断処理の処理精度を向上できる。また、子機２０から遠ざかることによる測定信号の減衰を考慮して閾値を変更でき、第２の異常診断処理の処理精度を向上できる。
【０１６２】
図１２は、検出器３０による異常診断動作の第２例を示すフローチャートである。
【０１６３】
まず、検出器３０は、Ｓ１２１，Ｓ１２２の処理を行う。Ｓ１２１は、図１０のＳ１０１と同様であり、Ｓ１２２は、図１０のＳ１０２と同様である。
【０１６４】
続いて、制御部３０５は、検出された信号電圧レベルが閾値以下であるか否かを判定する（Ｓ１２３）。Ｓ１２３において検出された信号電圧レベルが閾値より大きい場合、制御部３０５は、検出された信号電流レベルが閾値以下であるか否かを判定する（Ｓ１２４）。検出された信号電圧レベルは、例えば、検出信号レベルの電圧成分に相当する。信号電流レベルは、例えば、検出信号レベルの電流成分に相当する。
【０１６５】
Ｓ１２４において検出された信号電流レベルが閾値より大きい場合、制御部３０５は、正常状態と判定する（Ｓ１２５）。Ｓ１２４において検出された信号電流レベルが閾値以下である場合、異常状態であり、パネル異常が発生していると判定する（Ｓ１２６）。
【０１６６】
パネル異常を含む場合、原因として、ＰＶパネル１０内部のＰＶクラスタ１０Ｇにおける不具合（例えばＰＶセル１０Ｃの故障、セル間の断線）、又は、ＰＶクラスタ１０Ｇと並列に接続されたバイパスダイオードＢＤのオープン故障が考えられる。例えば、ＰＶクラスタ１０Ｇで断線が発生した場合、測定信号は、バイパスダイオードＢＤを経由する。また、バイパスダイオードＢＤのオープン故障が発生した場合、測定信号は、バイパスダイオードＢＤと並列に接続されたＰＶクラスタ１０Ｇを経由する。即ち、ＰＶパネル１０内のＰＶクラスタ１０Ｇ及びバイパスダイオードＢＤのいずれか一方で異常が発生した場合、測定信号は、上記ＰＶクラスタ１０Ｇ又はバイパスダイオードＢＤのいずれか他方を経由する。
【０１６７】
測定信号は、異常が発生していない経路へ迂回するため、信号電圧レベルの減衰は微小である。しかし、異常が発生した箇所は、電気的に開放状態となるため測定信号の電流は流れなくなる。そのため、異常が発生した箇所では信号電流レベルが小さくなる。従って、Ｓ１２３及びＳ１２４の判定により、パネル異常を含むと診断できる。
【０１６８】
Ｓ１２３において検出された信号電圧レベルが閾値以下である場合、制御部３０５は、検出された信号電流レベルが閾値以下であるか否かを判定する（Ｓ１２７）。Ｓ１２７において検出された信号電流レベルが閾値以下である場合、制御部３０５は、ケーブル異常（例えば、ケーブル断線）が発生している異常状態と判定する（Ｓ１２８）。ケーブル異常（例えば、ケーブル断線）を含む場合、断線箇所が開放状態であるので、信号電圧レベルと信号電流レベルが小さくなる。従って、Ｓ１２８の判定により、ケーブル異常を含むと診断できる。
【０１６９】
Ｓ１２７において検出された信号電流レベルが閾値よりも大きい場合、制御部３０５は、異常状態であるが、パネル異常であるかケーブル異常であるか原因不明であると判定する（Ｓ１２９）。
【０１７０】
Ｓ１２３〜Ｓ１２９の処理は、第２の異常診断処理に含まれる。
【０１７１】
Ｓ１２５，Ｓ１２６，Ｓ１２８，又はＳ１２９の処理後、音声出力部３０８、表示部３０９又はその他の報知部（不図示）は、第２の異常診断処理の処理結果を作業員へ報知する（Ｓ１３０）。例えば、光、音、振動、により、正常であると診断された旨の報知、又は異常を含むと診断された旨の報知が行われる。例えば、表示部３０９は、正常と診断された場合にはＬＥＤを点灯させ、異常を含むと診断された場合にはＬＥＤを点滅させる。
【０１７２】
なお、図１２の処理は、１回の実行に限らず、例えば、測定信号を受信する度に実施されてもよい。この場合、異常診断処理の処理結果が前回と異なる場合、通知の内容も変更される。従って、複数回の異常診断処理により、異常診断処理の処理精度を向上できる。
【０１７３】
また、第２の異常診断処理の処理結果が「原因不明」であった場合でも（Ｓ１２９）、例えば、測定対象物をＰＶストリング１０ＳＴにおける子機２０の配置側の測定対象物に変更し、制御部３０５は、再度、異常診断処理（図１２の処理）を行う。このように、測定対象物を子機２０側の測定対象物に変更しながら、第２の異常診断処理を反復すると、いずれかのタイミングにおいて、パネル異常又はケーブル異常を含むと判定される。従って、ＰＶストリング１０ＳＴにおける異常の種別（パネル異常又はケーブル異常）及び位置を特定できる。
【０１７４】
図１２の処理によれば、異常診断対象のＰＶストリング１０ＳＴにおいて、各測定対象物に対して個別に第２の異常診断処理でき、各測定対象物と子機２０との間に異常を含むか否かを診断できる。また、検出器３０を携帯可能であるので、作業員は簡単に異常診断作業を実施できる。また、モニタリング動作と異常診断動作とを合わせて、効率よく異常診断を実施できる。また、検出された信号電圧レベル、信号電流レベルを用いることで、異常診断処理対象のＰＶストリング１０ＳＴにおける異常の種別と異常発生位置とを識別できる。
【０１７５】
なお、Ｓ１２３とＳ１２４との処理順序は、順不同である。Ｓ１２３とＳ１２４とは、同時に処理されてもよい。
【０１７６】
図１２では、検出された信号電圧レベルと比較される電圧用閾値と、検出された信号電流レベルと比較される電流用閾値とは、異なっても同じでもよい。電圧用閾値と電流用閾値とを別個に設定することで、電圧及び電流に関する異常診断処理の処理精度を向上できる。
【０１７７】
図１０〜図１２では、測定対象物がＰＶパネル１０である場合には、第２の異常診断処理にパネル用閾値が用いられ、測定対象物が電力線ＰＬである場合には、第２の異常診断処理にケーブル用閾値が用いられてもよい。ＰＶパネル１０に対する異常診断処理と電力線ＰＬに対する異常診断処理とにおいて、同じ閾値が用いられてもよい。
【０１７８】
なお、検出された信号電圧レベル及び信号電流レベルを用いた異常診断処理における診断パターンの概要を、図１３に示す。
【０１７９】
ＰＶシステム１０００によれば、検出器３０を作業員が携帯し、検出器３０を移動させることができるので、故障診断処理対象のＰＶストリング１０ＳＴにおいて測定対象物を容易に変更できる。従って、ＰＶストリング１０ＳＴにおけるどの位置において異常が発生しているかを容易に確認できる。従って、異常診断処理の処理精度を向上できる。
【０１８０】
また、検出器３０が測定対象物において非接触で信号レベルを取得できるので、作業員による異常診断のための作業を容易化できる。
【０１８１】
また、子機２０が、常時、第２の異常診断処理のための測定信号を送信するのではなく、所望のタイミングにおいて、子機２０が測定信号を送信するよう調整できる。例えば、作業員が検出器３０を操作して、測定信号を送信するタイミングを調整できる。また、測定信号の送信タイミングが制限されるので、例えば、子機２０を省電力化若しくは間欠動作させることができ、又は、電力線ＰＬにおける通信トラフィックを軽減できる。
【０１８２】
（第２の実施形態）
第１の実施形態では、子機がモニタリング動作及び異常診断動作を行うことを説明した。第２の実施形態では、子機がモニタリング動作をせず、異常診断動作のみ行うことを説明する。
【０１８３】
図１４（Ａ）は、子機２０Ｂの第１構成例を示すブロック図である。図１４（Ｂ）は、子機２０Ｂの構成の第２変形例を示すブロック図である。
【０１８４】
図１４（Ａ）では、子機２０Ｂは、電源部２２、信号送信部２５、制御部２６、無線通信部２７、接続部２９Ａ、操作部２９Ｃを備える。図１４（Ｂ）では、子機２０Ｂは、電源部２２、信号送信部２５、制御部２６、有線通信部２７Ａ、接続部２９Ｂ、及び操作部２９Ｃを備える。子機２０Ｂは、ＰＶパネル１０に接続されるのではなく、例えば接続箱５０内に収容される。図１４（Ａ），（Ｂ）において、図３，図４の子機２０と同様の構成については、同一の符号を付し、説明を省略又は簡略化する。
【０１８５】
接続部２９Ａは、例えば、ケーブルを有し、測定信号を電力線ＰＬ上に出力する端子である。接続部２９Ｂは、例えば、クランプ型の接続部である。クランプ部分の構成は、例えば、図７（Ａ）に示した電流検出部３０２のクランプ部分の構成と同様である。操作部２９Ｃは、例えば、所定のキー、ボタンを有し、入力操作を受け付ける。例えば、操作部２９Ｃの所定のボタンを押下すると、制御部２６が、この押下を検出し、信号送信部２５へ測定信号の送信を指示してもよい。
【０１８６】
子機２０Ｂによれば、子機２０と同様に異常診断動作を実施できる。また、子機２０Ｂは、子機２０よりも構成要素が少ないので、子機２０よりも小型化できる。
【０１８７】
なお、本発明は、上記実施形態の構成に限られるものではなく、特許請求の範囲で示した機能、または本実施形態の構成が持つ機能が達成できる構成であればどのようなものであっても適用可能である。
【０１８８】
例えば、上記実施形態では、子機２０は、電圧検出、電流検出以外に、電力検出を行ってもよい。電力検出は、例えば検出された電圧、電流を基に算出されてもよいし、電力を検出する電力検出部が子機２０に設けられてもよい。検出された電力の信号レベルが、例えば、第１の異常診断処理に用いられてもよい。信号レベルには、例えば、電圧、電流、電力のレベルの少なくとも１つが含まれ、複数が含まれてもよい。
【０１８９】
例えば、上記実施形態では、検出器３０は、電圧検出、電流検出以外に、電力検出を行ってもよい。電力検出は、例えば検出された電圧、電流を基に算出されてもよいし、電力を検出する電力検出部が検出器３０に設けられてもよい。検出された電力の信号レベルが、例えば、第２の異常診断処理に用いられてもよい。信号レベルには、例えば、電圧、電流、電力のレベルの少なくとも１つが含まれ、複数が含まれてもよい。
【０１９０】
例えば、上記実施形態では、子機２０は、ＭＰＰＴ（Ｍａｘｉｍｕｍ  Ｐｏｗｅｒ  Ｐｏｉｎｔ  Ｔｒａｃｋｉｎｇ）制御してもよい。子機２０のＭＰＰＴ制御とは、子機２０が接続されたＰＶパネル１０の発電量を最大とするための制御である。このＭＰＰＴ制御は、公知の方法により実現可能であり、例えば山登り法が採用される。
【０１９１】
例えば、上記実施形態では、パワーコンディショナ６０は、ＭＰＰＴ制御してもよい。パワーコンディショナ６０のＭＰＰＴ制御とは、各ＰＶパネル１０により発電される発電電力の総和を最大とするための制御である。このＭＰＰＴ制御は、公知の方法により実現可能であり、例えば山登り法が採用される。
【０１９２】
例えば、上記実施形態では、子機２０が、ＰＶストリング１０ＳＴにおいて測定信号を送信することを例示したが、測定信号以外の信号（例えば、ＰＶパネル１０の出力電圧、出力電流、出力電力の情報を含む信号）を送信してもよい。
【０１９３】
例えば、上記実施形態では、検出器３０は、検出信号レベルに応じて、異常状態及び正常状態を報知可能であることを主に例示したが、異常状態及び正常状態のいずれか一方のみ報知してもよい。異常状態及び正常状態のいずれか一方のみ報知する構成において、報知が行われなかった場合、異常状態及び正常状態のいずれか他方であると認識できる。
【０１９４】
（本発明の一態様の概要）
本発明の一態様の異常検出システムは、太陽電池モジュールと前記太陽電池モジュールに接続される電力線とを含むストリングにおける異常を検出する異常検出システムであって、前記ストリングの少なくとも一部を介して伝送された信号の信号レベルを、前記ストリングの複数の位置で検出可能な信号レベル検出部と、前記信号レベル検出部により検出された信号レベルに基づいて、前記ストリングにおける異常を検出する異常検出部と、を備える。
【０１９５】
この構成によれば、任意の測定位置に対して異常の判定を行うことで、ストリングにおいて異常が発生している位置を推定できる。従って、ストリングにおける異常検出の検出精度を向上できる。
【０１９６】
また、本発明の一態様の異常検出システムは、前記信号レベル検出部が、前記ストリングに対して非接触の状態で前記信号レベルを検出する。
【０１９７】
この構成によれば、非接触で測定位置における信号レベルを取得するので、異常診断作業を行う作業員の作業を容易化できる。
【０１９８】
また、本発明の一態様の異常検出システムは、前記信号レベルが、電圧レベル及び電流レベルを含み、前記異常検出部が、前記電圧レベルと前記電流レベルと所定の閾値とに基づいて、異常の要因を検出する。
【０１９９】
この構成によれば、信号に起因する電流及び電圧に関する特性を考慮するので、より高精度に異常検出できる。
【０２００】
また、本発明の一態様の異常検出システムは、前記異常検出部が、前記電圧レベルが前記閾値より大きく、かつ、前記電流レベルが前記閾値よりも大きい場合、前記ストリングが正常状態であると検出する。
【０２０１】
この構成によれば、信号に起因する電流及び電圧に関する特性を考慮するので、より高精度に異常検出できる。例えば、ストリングにおける測定箇所を低減しても、異常検出できる。
【０２０２】
また、本発明の一態様の異常検出システムは、前記異常検出部が、前記電圧レベルが前記閾値より大きく、かつ、前記電流レベルが前記閾値以下である場合、前記太陽電池モジュールにおける異常を検出する。
【０２０３】
この構成によれば、信号に起因する電流及び電圧に関する特性を考慮するので、より高精度に異常検出できる。例えば、ストリングにおける測定箇所を低減しても、異常の要因を特定して異常検出できる。
【０２０４】
また、本発明の一態様の異常検出システムは、前記異常検出部が、前記電圧レベルが前記閾値以下であり、かつ、前記電流レベルが前記閾値以下である場合、前記電力線における異常を検出する。
【０２０５】
この構成によれば、信号に起因する電流及び電圧に関する特性を考慮するので、より高精度に異常検出できる。例えば、ストリングにおける測定箇所を低減しても、異常の要因を特定して異常検出できる。
【０２０６】
また、本発明の一態様の異常検出システムは、前記閾値が、前記電圧レベルと比較される電圧閾値と、前記電流レベルと比較される電流閾値と、を含む。
【０２０７】
この構成によれば、電圧用の閾値と電流用の閾値とを個別に用意するので、異常検出の検出精度を向上できる。
【０２０８】
また、本発明の一態様の異常検出システムは、前記ストリングにおいて、前記信号レベル検出部が前記信号レベルを検出する対象に応じて前記閾値を設定する閾値設定部を備える。
【０２０９】
この構成によれば、信号レベルの検出対象の電気的特性の相異を考慮して閾値を設定するので、異常検出の検出精度を向上できる。
【０２１０】
また、本発明の一態様の異常検出システムは、前記対象を少なくとも前記太陽電池モジュール及び前記電力線から選択可能な入力部を備える。
【０２１１】
この構成によれば、作業員が容易に対象を決定でき、例えば、対象の電気的特性の相異を考慮して閾値を設定することで、異常検出の検出精度を向上できる。
【０２１２】
また、本発明の一態様の異常検出システムは、前記閾値設定部が、前記入力部によって選択された前記対象の種別に応じて、前記閾値を設定する。
【０２１３】
この構成によれば、太陽電池モジュールと電力線との電気的特性の相異を考慮して閾値を設定するので、異常検出の検出精度を向上できる。
【０２１４】
また、本発明の一態様の異常検出システムは、前記信号が前記ストリングを伝送された距離に応じて、前記閾値を設定する閾値設定部を備える。
【０２１５】
この構成によれば、信号が距離に応じて減衰することを考慮して閾値を設定するので、異常検出の検出精度を向上できる。
【０２１６】
また、本発明の一態様の異常検出システムは、閾値の校正指示を検出する校正指示検出部と、前記閾値を設定する閾値設定部と、を備え、前記信号レベル検出部は、前記校正指示に応じて、前記信号の信号レベルを検出し、前記閾値設定部は、前記信号レベル検出部により検出された信号レベルに応じて、前記閾値を設定する。
【０２１７】
この構成によれば、異常診断作業を行う作業員が所望のタイミングにおいて閾値を設定できるので、ユーザの利便性を向上でき、異常検出の検出精度を向上できる。
【０２１８】
また、本発明の一態様の異常検出システムは、前記異常検出部による検出結果を報知する報知部を備える。
【０２１９】
この構成によれば、例えば騒音等により騒がしい場所で異常診断作業する場合には、表示又は振動により異常検出の結果を報知することで、作業員が容易に異常検出の結果を認識できる。また、例えば、異常検出の結果の表示の確認が困難な場合には、音声又は振動により異常検出の結果を報知することで、作業員が容易に異常検出の結果を認識できる。
【０２２０】
また、本発明の一態様の異常検出システムは、前記ストリングにおける状態を検出する携帯型検出器を備え、前記携帯型検出器は、前記信号レベル検出部と、前記異常検出部と、を備える。
【０２２１】
この構成によれば、携帯型検出器を用いて信号レベルの検出から異常の検出まで一連の処理を実施できる。
【０２２２】
また、本発明の一態様の異常検出システムは、少なくとも前記信号レベル検出部と、前記信号レベルの情報を送信する第１の通信部と、を有する携帯型検出器と、少なくとも前記異常検出部と、前記携帯型検出器から前記信号レベルの情報を受信する第２の通信部と、を有する通信装置と、を備える。
【０２２３】
この構成によれば、通信装置において異常を検出するので、携帯型検出器の負荷を軽減でき、小型化でき、コストを低減できる。
【０２２４】
また、本発明の一態様の異常検出システムは、前記ストリングに固定された状態で取り付けられ、前記信号を送信する信号送信部を備える。
【０２２５】
この構成によれば、ストリングにおいて所定の位置から信号が伝送され、任意の測定箇所において信号レベルを検出できる。
【０２２６】
また、本発明の一態様の異常検出システムは、前記携帯型検出器が、前記ストリングに対して電気的に独立して構成される。
【０２２７】
この構成によれば、携帯型検出器は、ストリングに依存せずに単独で動作可能である。
【０２２８】
また、本発明の一態様の異常検出システムは、前記異常検出部が、静電誘導又は電磁誘導を利用して前記信号レベルを検出する。
【０２２９】
この構成によれば、非接触で測定位置における信号レベルを取得でき、異常診断作業を行う作業員の作業を容易化できる。
【０２３０】
また、本発明の一態様の携帯型検出器は、太陽電池モジュールと前記太陽電池モジュールに接続される電力線とを含むストリングにおける異常を検出する携帯型検出器であって、前記ストリングの少なくとも一部を介して伝送された信号の信号レベルを、前記ストリングの任意の位置で検出可能な信号検出部と、前記信号の信号レベルに基づいて、前記ストリングにおける異常を検出する異常検出部と、前記異常検出部の検出結果を表示する表示部と、を備える。
【０２３１】
この構成によれば、任意の測定位置に対して異常の判定を行うことで、ストリングにおいて異常が発生している位置を推定できる。従って、ストリングにおける異常検出の検出精度を向上できる。
【０２３２】
また、本発明の一態様の異常検出方法は、太陽電池モジュールと前記太陽電池モジュールに接続される電力線とを含むストリングにおける異常を検出する異常検出方法であって、前記ストリングの少なくとも一部を介して伝送された信号の信号レベルを、前記ストリングにおいて複数の位置でそれぞれ検出するステップと、前記信号の信号レベルに基づいて、前記ストリングにおける異常を検出するステップと、を有する。
【０２３３】
この方法によれば、任意の測定位置に対して異常の判定を行うことで、ストリングにおいて異常が発生している位置を推定できる。従って、ストリングにおける異常検出の検出精度を向上できる。
【産業上の利用可能性】
【０２３４】
本発明は、太陽電池ストリングにおける異常検出の検出精度を向上できる異常検出システム、携帯型検出器、及び異常検出方法等に有用である。
【符号の説明】
【０２３５】
１０００，１０００Ａ  太陽光発電システム
１０  ＰＶパネル
１０ＡＲ  ＰＶアレイ
１０Ｃ  ＰＶセル
１０Ｇ，１０Ｇ１〜１０Ｇ３  ＰＶクラスタ
１０ＳＴ  ＰＶストリング
２０，２０Ｂ  子機
２１  カプラ部
２２  電源部
２３  電圧検出部
２４  電流検出部
２５  信号送信部
２６  制御部
２７  無線通信部
２７Ａ  有線通信部
２８  入力端子
２９  出力端子
２９Ａ，２９Ｂ  接続部
２９Ｃ  操作部
３０  検出器
３１，３２，３３，３４  測定対象物
３５  異常の発生源
４０  親機
５０  接続箱
６０  パワーコンディショナ
７０  分電盤
８０  データロガー
２２１  メインＩＣ
２２２  ＣＰＵ
２２３  ＰＬＣ・ＭＡＣブロック
２２４  ＰＬＣ・ＰＨＹブロック
２２５  ＤＡＣ
２２６  ＡＤＣ
２２７  ＶＧＡ
２２８  メモリ
２２９  ローパスフィルタ
２３０  バンドパスフィルタ
２３１  ドライバＩＣ
２５０  カプラ
３０１  電圧検出部
３０２  電流検出部
３０３，３０４  フィルタ部
３０５  制御部
３０６  制御部
３０７  無線通信部
３０８  音声出力部
３０９  表示部
３１０  入力操作部
ＢＤ  バイパスダイオード
ＰＬ  電力線
【図１】
2015135601.tif 000003
【図２】
2015135601.tif 000004
【図３】
2015135601.tif 000005
【図４】
2015135601.tif 000006
【図５】
2015135601.tif 000007
【図６】
2015135601.tif 000008
【図７】
2015135601.tif 000009
【図８】
2015135601.tif 000010
【図９】
2015135601.tif 000011
【図１０】
2015135601.tif 000012
【図１１】
2015135601.tif 000013
【図１２】
2015135601.tif 000014
【図１３】
2015135601.tif 000015
【図１４】
2015135601.tif 000016